(57)【特許請求の範囲】
【請求項１】
世界地図が一面に描写されている円形の表ディスク材（１）と、第１円周時刻表（２１），第２円周時刻表（２２）・・・第ｎ円周時刻表がその半径を異ならせて同心円状に記載されている円形の裏ディスク材（２）とを有し、前記表ディスク材（１）の下側に前記裏ディスク材（２）を同心円状に回転可能に重ね合わせる構造の世界時刻ダイヤルであって、
上記表ディスク材（１）には世界主要都市名が記入されていると共に、上記裏ディスク材（２）の複数個の円周時刻表に対応する箇所にそれぞれ円周時刻表内の複数の時刻を表示する複数の窓が回転中心から径をずらせて同心円状に設けられており、
上記各窓に表示される複数の時刻に対して、上記世界主要都市の時刻に対応するように線により表示することを特徴とする世界時刻ダイヤル。
【請求項２】
上記世界地図は、赤道を基準線にして、上下・左右に展開された地図であり、上記世界主要都市の時刻が複数の各窓に同時に表示されることを特徴とする請求項１記載の世界時刻ダイヤル。
【請求項３】
上記複数の各窓は、同心円状に弯曲した長円弧状に形成されることを特徴とする請求項１記載の世界時刻ダイヤル。
【発明の詳細な説明】
【０００１】
【産業上の利用分野】
本発明は、安価な素材で且つ簡易な構成で、世界主要都市の時刻が即座にわかる世界時刻ダイヤルに関する。
【０００２】
【従来の技術】
近年、様々な業種において国際化が進み、全世界と通信をすることが頻々に行われている。そして、電話等をする場合に、日本時間を基準にして世界各国の主要都市の時刻を把握することが必要とされている。
【０００３】
その必要性に伴い、例えば実開昭６２−１７６７８０号公報記載の世界時計が提案されている。この世界時計は、北極を中心とした世界地図を文字盤に添付した時計機構を有するもので、前記文字盤に地域表示用の指針をスリップ回転可能に取り付け、地球の自転に合わせて指針を回転させることで、世界各国の時刻が解るものである。
【０００４】
【発明が解決しようとする課題】
しかしながら、上述したような世界時計は、時計機構を有するが故に、その価格が高価になりがちである。
また通常、「日本はＸ時だが、サンフランシスコは何時」という具合に、都市名を基準にした時刻認識が必要とされているが、上述のような世界時計は時刻を基準として、都市の時間を把握するようなものであるため、即座に知りたい都市の時刻が把握できないといった問題点がある。
さらに、北極を中心とした世界地図は、あまり周知でないことから、主要都市の位置が分かり難く、世界時計の機能が十分に発揮されない恐れがある。
【０００５】
本発明は、このような事情に対処するために提案されたもので、簡単かつ安価な構成で、世界各国の主要都市の時刻が解る世界時刻ダイヤルを提供することを目的とする。
【０００６】
【課題を解決するための手段】
世界地図が一面に描写されている円形の表ディスク材１と、第１円周時刻表２１，第２円周時刻表２２・・・第ｎ円周時刻表がその半径を異ならせて同心円状に記載されている円形の裏ディスク材２とを有し、前記表ディスク材１の下側に前記裏ディスク材（２）を同心円状に回転可能に重ね合わせる構造の世界時刻ダイヤルであって、
上記表ディスク材１には世界主要都市名が記入されていると共に、上記裏ディスク材２の複数個の円周時刻表に対応する箇所にそれぞれ円周時刻表内の複数の時刻を表示する複数の窓が回転中心から径をずらせて同心円状に設けられており、
上記各窓に表示される複数の時刻に対して、上記世界主要都市の時刻に対応するように線により表示することを特徴とする。
【０００７】
また、上記世界地図は、赤道を基準線にして、上下・左右に展開された地図であり、上記世界主要都市の時刻が複数の各窓に同時に表示されることを特徴とする。
さらに、上記複数の各窓は、同心円状に弯曲した長円弧状に形成されることを特徴とする。
【０００８】
【作用】
請求項１記載の本発明によれば、裏ディスク材の上に表ディスク材を重ね合わせた状態で、裏ディスク材を回転させ、基準国の都市の時刻を現在時刻に合わせる。すると、他の主要都市の時刻が一目で解る。
詳しくは、例えば日本の時刻が第３窓に表示されている場合、裏ディスク材を回転させながら裏ディスク材に記載されている第３円周時刻表を、日本の現在時刻にを合わせると、第２窓にニューヨーク，ワシントンの時刻が表示されるようになる。
【０００９】
また請求項２記載の本発明によると、表ディスク材に描写されている世界地図を、赤道を基準線にして上下・左右に展開された地図にすることで、見慣れた世界地図上で主要都市の位置が即座に分かり、敏速に時刻を把握することができる。
【００１０】
さらに、請求項３記載の本発明によると、窓を長孔にすることで、該窓に，裏ディスク材に記載された円周時刻表の数字を表示させる場合にその前後の数字も表示されるので、時刻があわせやすくなる。
またさらに、窓を長孔にすることで、１つの窓に近隣の都市の時刻が表示できるようになる。
【００１１】
【実施例】
以下、本発明の実施例を図面を参照して説明する。
図１は本実施例の表ディスク材１の説明図、図２は裏ディスク材２の説明図、図３は裏ディスク材２の上に表ディスク材１を重ね合わせた状態図である。
【００１２】
図１に示すように、表ディスク材１は、厚紙，プラスチック等の板材を円形状に形成したもので、表面には赤道を基準線にして上下・左右に展開された世界地図が描写されている。そして世界地図上に各国の主要都市が記入されている。
このように、世間一般によく目にする見慣れた世界地図上に主要都市を記入することで、簡単に都市を見つけることができ、その都市の時刻が解るようになる。位置関係がはっきりするようになる。
【００１３】
図２に示すように、裏ディスク材２も表ディスク材１と同様に、厚紙，プラスチック等の板材で形成されており、表ディスク材１と同等の半径を有する円形状に形成されている。また該裏ディスク材２には、１〜２４の数字を円周に配置した第１円周時刻表２１，第２円周時刻表２２，第３円周時刻表２３・・・第８円周時刻表２８がその半径を異ならせて記載されている。
【００１４】
また図１に示すように、前記表ディスク材１には、裏ディスク材２の上に表ディスク材１を重ねた際に、前記第１〜第８円周時刻表の時間数字が表示できるように、前記第１〜第８円周時刻表の軌道上、かつ、上記主要都市の近傍にそれぞれ第１窓２１，第２窓２２，第３窓２３・・・第８窓２８が設けられている。また、前記窓はそれぞれの円周時刻表に沿って形成された円弧状の長孔である。
また、世界地図上にて、前記主要都市から前記窓２１〜２８の窓縁までを線で結び、この線の先端に位置する時間数字がその都市の時刻を表すようにしている。また、同時刻にあたる都市は１本の線で結び、該線を前記窓２１〜２８の窓縁まで延ばし、この線の先端に位置する時間数字がそれらの都市の時刻を表すようにしている。
ここで前記窓を長孔にすることで、該窓に，裏ディスク材２に記載された円周時刻表の数字を表示させる場合にその前後の数字も表示されるので、時刻があわせやすくなる。また、窓を長孔にすることで、１つの窓に複数の近隣都市の時刻が表示できるようになる。
【００１５】
そして図３に示すように、上述した裏ディスク材２の上に表ディスク材１を重ね合わせ、中心をピン等で互いに回転可能に連結する。
そして裏ディスク材１を回転させ、基準都市の時刻を現在時刻に合わせる。例えば、第４窓１４に表示されている日本国の時刻を５時に合わせると、第１窓１１に表示されているモスクワの時刻は２３時であり、また、第２窓１２に表示されているロサンゼルス，サンフランシスコ，バンクーバの時刻は１２時である。このように、基準都市の時刻を合わせれば、世界各国の主要都市の時刻が一目で解る。
【００１６】
また、図面には示していないが、アメリカにおけるサマータイムを表示し、夏期におけるアメリカの時刻が解るようにしてもよい。
【００１７】
【発明の効果】
以上説明したように、本発明の世界時刻ダイヤルによると、裏ディスク材２を回転させて表ディスク材１の複数の各窓に表示される基準国の時刻を合わせるだけで、世界各国の主要都市の時刻が一目でわかる。すなわち、表ディスク材１に世界地図が描写されていることから、主要都市の時刻が一目でわかる世界地図として使用することができる。また、本発明の世界時刻ダイヤルは、安価かつ簡易な構造であることから、低コストで製造することができ、保険等のノベルティー商品として利用することができる。さらに、本発明の世界時刻ダイヤルは製造コストが安価なことから、これに時計機構を付加したとしても、全体コストは比較的安価なものとなる。
【００１８】
また、請求項２記載の本発明によると、表ディスク材１に描写されている世界地図を、赤道を基準線にして上下・左右に展開された地図とし、世界主要都市の時刻を同時に表示することで、見慣れた世界地図上で主要都市の位置が即座に分かり、敏速に主要都市の時刻を把握することができる。
【００１９】
さらに、請求項３記載の本発明によると、複数の各窓を同心円状に弯曲した長円弧孔に形成することで、該各窓に，裏ディスク材２に記載された複数の円周時刻表内の複数の数字を表示させる場合に、その前後の数字も表示されるので、時刻が合わせやすくなる。またさらに、複数の各窓を同心円状の長円弧孔にすることで、１つの窓に近隣の都市の時刻が表示できるようになる。
【図面の簡単な説明】
【図１】本発明の実施例における表ディスク材の説明図である。
【図２】本発明の実施例における裏ディスク材の説明図である。
【図３】表ディスク材と裏ディスク材とを重ねた状態の説明図である。
【符号の説明】
１  表ディスク材
１１  第１窓
１２  第２窓
１３  第３窓
１４  第４窓
１５  第５窓
１６  第６窓
１７  第７窓
１８  第８窓
２  裏ディスク材
２１  第１円周時刻表
２２  第２円周時刻表
２３  第３円周時刻表
２４  第４円周時刻表
２５  第５円周時刻表
２６  第６円周時刻表
２７  第７円周時刻表
２８  第８円周時刻表
【図１】
0003626321.tif 000002
【図２】
0003626321.tif 000003
【図３】
0003626321.tif 000004